(57)【要約】【課題】複数の携帯端末のバッテリ残容量を容易に確認することができるようにする。【解決手段】集合充電器２と、パソコン３およびモニタ４とを備え、携帯端末１からパソコン３への充電量の通知は、無線基地局５およびスイッチングハブ６を介して無線で行われる。モニタ４には、集合充電器２における充電ボックス２ａの配置と同じ配置でアイコンが表示されている。携帯端末１が集合充電器２の任意の充電ボックス２ａに装着されると、モニタ４では、対応する位置のアイコンが携帯端末１の充電量に応じて色分け表示される。このとき、少なくとも２つのアイコンが満充電近傍の充電量を表示しているとき、それらのアイコンの背景を充電量の高い携帯端末１が密集したエリアとして強調表示する。携帯端末１が充電ボックス２ａから取り外されると、対応する位置のアイコンを所定時間点滅してから色分け表示を初期化する。【選択図】図１
2016171618.tif 000002
【特許請求の範囲】
【請求項１】
携帯端末と、前記携帯端末を複数同時に充電することができる集合充電器と、すべての前記携帯端末の充電量を一括して表示する充電量表示装置とを備え、
前記集合充電器は、複数の充電ボックスと、それぞれの前記充電ボックスに設けられて前記充電ボックスを識別する情報が記憶されたタグとを有し、
前記携帯端末は、前記充電ボックスに装着されたときに、前記タグに記憶された情報を前記充電ボックスの位置情報として読み取る位置情報取得部と、バッテリの充電量情報を取得する充電量情報取得部と、前記位置情報および前記充電量情報を前記充電量表示装置に送信する情報送信部とを有し、
前記充電量表示装置は、前記情報送信部から送信された前記充電量情報を基に充電量に応じた色情報を取得する色情報取得部と、前記充電ボックスと同じ配列でアイコンを表示させる表示制御部とを有し、
前記表示制御部は、前記情報送信部から送信された前記位置情報に該当する位置の前記アイコンを前記色情報取得部が取得した前記色情報の色で表示するとともに、前記位置情報および前記充電量情報を基に充電量の高い前記携帯端末が密集するエリアを特定して強調表示するようにしたことを特徴とする充電情報表示システム。
【請求項２】
前記表示制御部は、前記携帯端末が前記充電ボックスから取り外されたときに前記携帯端末から送信される通電終了の情報および前記位置情報に基づいて該当する位置の前記アイコンを所定時間点滅表示して前記色情報を初期化することを特徴とする請求項１記載の充電情報表示システム。
【請求項３】
前記表示制御部は、前記アイコンの前記色情報を初期化することによって充電量の高い前記携帯端末が密集するエリアが密集しなくなったとき、前記強調表示を解除することを特徴とする請求項１記載の充電情報表示システム。
【請求項４】
前記携帯端末の前記情報送信部は、充電量が先に通知した充電量よりも所定量だけ上昇するごとに前記充電量情報取得部が取得した前記充電量情報を前記充電量表示装置に送信することを特徴とする請求項１記載の充電情報表示システム。
【請求項５】
前記携帯端末の前記情報送信部は、所定時間充電するごとに前記充電量情報取得部が取得した前記充電量情報を前記充電量表示装置に送信することを特徴とする請求項１記載の充電情報表示システム。
【請求項６】
前記携帯端末の前記情報送信部は、前記充電量情報の前記充電量表示装置への送信を無線で行うようにしたことを特徴とする請求項１記載の充電情報表示システム。
【請求項７】
携帯端末のコンピュータが、前記携帯端末が集合充電器の充電ボックスに装着されることによって通電されたとき、前記充電ボックスに設けられたタグを読み取って前記充電ボックスを識別する位置情報を取得し、バッテリの充電量情報を取得し、前記位置情報および前記充電量情報を充電量表示装置に送信し、
前記充電量表示装置のコンピュータが、前記充電ボックスと同じ配列でアイコンを表示させ、前記位置情報および前記充電量情報を前記携帯端末から受けたとき、前記位置情報に該当する位置の前記アイコンを前記充電量情報に応じた色情報で色分け表示し、前記位置情報および前記充電量情報を基に充電量の高い前記携帯端末が密集するエリアを特定して強調表示し、
前記携帯端末のコンピュータが、前記充電量情報を逐次取得して前記位置情報および前記充電量情報を前記充電量表示装置に送信すると、前記充電量表示装置のコンピュータが、前記位置情報に該当する位置の前記アイコンを前記充電量情報に応じて色分け表示し、前記位置情報および前記充電量情報を基に充電量の高い前記携帯端末が密集するエリアを特定して強調表示し、
前記携帯端末のコンピュータが、前記携帯端末が前記充電ボックスから取り外されたときに通電終了の情報および前記位置情報を前記充電量表示装置に送信し、
前記充電量表示装置のコンピュータが、通電終了の情報を受けて前記位置情報に該当する位置の前記アイコンを所定時間点滅表示して前記色情報を初期化し、前記アイコンの前記色情報を初期化することによって充電量の高い前記携帯端末が密集するエリアが密集しなくなったとき、密集しなくなったエリアの前記強調表示を解除する、
ことを特徴とする充電情報表示方法。
【発明の詳細な説明】
【技術分野】
【０００１】
本発明は充電情報表示システムおよび充電情報表示方法に関し、特に複数の携帯端末が集合充電器で充電しているときの個々の充電量を一括して表示する充電情報表示システムおよび充電情報表示方法に関する。
【背景技術】
【０００２】
運送業、倉庫業などの業務では、棚卸しや検品作業などにおいてハンドヘルドターミナルと呼ばれる携帯端末が使用されている。このような携帯端末は、一般に使用前にバッテリの残容量を確認することが行われる。詳細なバッテリ残容量を確認する場合には、携帯端末を操作することにより表示されるシステム情報やステータスバーからバッテリ残容量を確認することができる。
【０００３】
ところで、運送業務における入出庫管理では、複数の携帯端末が８時間シフト勤務で２４時間体制の環境下で使用されることがあり、このような場合には、何台かの携帯端末が常に使われている状態が続いている。本来なら、携帯端末は、集合充電器にて満充電にしてから使用開始するのがよいが、複数の携帯端末が常に使われている環境では、携帯端末が満充電になる前に次のシフト勤務者に使われてしまうことも多い。
【０００４】
携帯端末は、集合充電器で充電しているときに充電中を表示するインジケータを備えているが、このインジケータは、満充電になると充電完了を示す表示に変化するようになっているものが多い。携帯端末を使用中にバッテリ切れになると、作業を中断しなければならないため、作業者は、よりバッテリ残容量の多い携帯端末を集合充電器から選択することを望んでいる。しかし、携帯端末を１台ずつ操作してそれぞれのバッテリ残容量を確認すればよいが、それを、たとえば数十台もある充電中の携帯端末に対してそれぞれの作業者がバッテリ残容量を確認することは、非常に手間のかかることである。
【０００５】
ここで、複数の電子機器を充電するときに、それぞれのバッテリ残量情報とする充電状態情報を携帯端末が取得して表示するようにした技術が知られている（たとえば、特許文献１参照）。この技術によれば、携帯端末が複数の電子機器から充電状態情報を取得して表示することにより、それぞれの電子機器の充電状態をまとめて確認できるようにしている。
【先行技術文献】
【特許文献】
【０００６】
【特許文献１】特開２０１４−１７９８９号公報
【発明の概要】
【発明が解決しようとする課題】
【０００７】
しかしながら、特許文献１の技術では、複数の電子機器から取得したバッテリ残量情報を数値で表示しているため視認性が悪く、しかも、数十台規模の集合充電器にそのような充電状態の管理を適用することは実質的に無理であるという問題点があった。
【０００８】
本発明はこのような点に鑑みてなされたものであり、複数ある携帯端末のバッテリ残容量を容易に確認することができる充電情報表示システムおよび充電情報表示方法を提供することを目的とする。
【課題を解決するための手段】
【０００９】
本発明では上記の課題を解決するために、携帯端末と、前記携帯端末を複数同時に充電することができる集合充電器と、すべての前記携帯端末の充電量を一括して表示する充電量表示装置とを備えた充電情報表示システムが提供される。この充電情報表示システムにおいて、前記集合充電器は、複数の充電ボックスと、それぞれの前記充電ボックスに設けられて前記充電ボックスを識別する情報が記憶されたタグとを有している。前記携帯端末は、前記充電ボックスに装着されたときに、前記タグに記憶された情報を前記充電ボックスの位置情報として読み取る位置情報取得部と、バッテリの充電量情報を取得する充電量情報取得部と、前記位置情報および前記充電量情報を前記充電量表示装置に送信する情報送信部とを有している。そして、前記充電量表示装置は、前記情報送信部から送信された前記充電量情報を基に充電量に応じた色情報を取得する色情報取得部と、前記充電ボックスと同じ配列でアイコンを表示させる表示制御部とを有し、前記表示制御部は、前記情報送信部から送信された前記位置情報に該当する位置の前記アイコンを前記色情報取得部が取得した前記色情報の色で表示するとともに、前記位置情報および前記充電量情報を基に充電量の高い前記携帯端末が密集するエリアを特定して強調表示するようにしたことを特徴とする。
【００１０】
また、本発明では、充電情報表示方法が提供される。この充電情報表示方法は、携帯端末のコンピュータが、前記携帯端末が集合充電器の充電ボックスに装着されることによって通電されたとき、前記充電ボックスに設けられたタグを読み取って前記充電ボックスを識別する位置情報を取得し、バッテリの充電量情報を取得し、前記位置情報および前記充電量情報を充電量表示装置に送信し、前記充電量表示装置のコンピュータが、前記充電ボックスと同じ配列でアイコンを表示させ、前記位置情報および前記充電量情報を前記携帯端末から受けたとき、前記位置情報に該当する位置の前記アイコンを前記充電量情報に応じた色情報で色分け表示し、前記位置情報および前記充電量情報を基に充電量の高い前記携帯端末が密集するエリアを特定して強調表示し、前記携帯端末のコンピュータが、前記充電量情報を逐次取得して前記位置情報および前記充電量情報を前記充電量表示装置に送信すると、前記充電量表示装置のコンピュータが、前記位置情報に該当する位置の前記アイコンを前記充電量情報に応じて色分け表示し、前記位置情報および前記充電量情報を基に充電量の高い前記携帯端末が密集するエリアを特定して強調表示し、前記携帯端末のコンピュータが、前記携帯端末が前記充電ボックスから取り外されたときに通電終了の情報および前記位置情報を前記充電量表示装置に送信し、前記充電量表示装置のコンピュータが、通電終了の情報を受けて前記位置情報に該当する位置の前記アイコンを所定時間点滅表示して前記色情報を初期化し、前記アイコンの前記色情報を初期化することによって充電量の高い前記携帯端末が密集するエリアが密集しなくなったとき、密集しなくなったエリアの前記強調表示を解除する、ことを特徴とする。
【発明の効果】
【００１１】
上記構成の充電情報表示システムおよび充電情報表示方法は、充電中の携帯端末の充電量を色分け表示したことにより、複数ある携帯端末のバッテリ残容量を容易に確認することができるという利点がある。
【００１２】
また、充電量の高い携帯端末が密集するエリアを強調表示することにより、充電ボックスの配置とアイコンの配置との大まかな対応付けが可能なので、急いでいるときの携帯端末の選択が容易になる。
【００１３】
また、携帯端末が充電ボックスから取り外されると、対応する位置のアイコンを所定時間点滅させることにより、取り間違いの確認を容易にしている。
【図面の簡単な説明】
【００１４】
【図１】本発明による充電情報表示システムのシステム構成例を示す図である。
【図２】充電情報表示システムの動作例を説明するシーケンス図である。
【図３】本実施の形態に用いる携帯端末のハードウェアの一構成例を示す図である。
【図４】本実施の形態に用いるパソコンのハードウェアの一構成例を示す図である。
【図５】集合充電器の構成例を示す斜視図である。
【図６】集合充電器の充電ボックスに携帯端末を装着した状態を示す斜視図である。
【図７】携帯端末を装着したときのモニタの表示例を示す図である。
【図８】携帯端末を取り外した状態を示す斜視図である。
【図９】携帯端末を取り外したときのモニタの表示例を示す図である。
【図１０】携帯端末の処理を示すフローチャートである。
【図１１】携帯端末が通知する情報の例を示す図である。
【図１２】パソコンの処理を示すフローチャートである。
【図１３】色テーブルの設定例を示す図である。
【図１４】推奨エリア表示処理を示すフローチャートである。
【発明を実施するための形態】
【００１５】
以下、本発明の実施の形態について、図面を参照して詳細に説明する。
図１は本発明による充電情報表示システムのシステム構成例を示す図、図２は充電情報表示システムの動作例を説明するシーケンス図である。
【００１６】
本発明による充電情報表示システムは、図１に示したように、複数の携帯端末１と、集合充電器２と、パーソナルコンピュータ（以下、パソコンまたはＰＣという）３と、モニタ４と、無線基地局５と、スイッチングハブ６とを備えている。ここで、パソコン３およびモニタ４は、すべての携帯端末１の充電量を一括して表示する充電量表示装置を構成している。
【００１７】
携帯端末１は、たとえば、バーコードスキャナ、タッチパネル、無線ＬＡＮ（Local Area Network）の通信モジュール、ＮＦＣ（Near Field Communication：近距離無線通信）機能などを内蔵したハンドヘルドターミナルとすることができる。
【００１８】
集合充電器２は、携帯端末１を１台ずつ装着する充電ボックス２ａを複数個備え、その中には、携帯端末１を充電するための給電端子（図示しない）と、充電ボックス２ａを識別する位置ＩＤ（Identification）の情報を格納したＮＦＣタグ２ｂとが設けられている。充電ボックス２ａの中の給電端子には、外部電源２ｃを電源とする内蔵の充電回路が接続されている。携帯端末１が充電ボックス２ａに装着されると、携帯端末１の充電端子が充電ボックス２ａの給電端子に電気的に接続されて、携帯端末１は、通電されて充電状態になる。このとき、携帯端末１は、充電ボックス２ａ内のＮＦＣタグ２ｂを検出することによって充電ボックス２ａの位置ＩＤの情報を取得する。携帯端末１が充電ボックス２ａから取り外されると、携帯端末１の充電端子が充電ボックス２ａの給電端子から離れ、携帯端末１は、通電終了となり、充電状態が解除される。
【００１９】
パソコン３は、充電中のすべての携帯端末１から通知された位置ＩＤおよび充電量の情報を処理し、ディスプレイケーブル４ａを介して接続されたモニタ４に位置ＩＤに該当するアイコンを充電量に応じた色で表示させるようにする。すなわち、モニタ４には、集合充電器２の充電ボックス２ａと同じ配置で並べられたアイコンが表示されており、携帯端末１から何らかの通知があると、必要に応じて対応するアイコンの表示が変更される。
【００２０】
携帯端末１の情報をパソコン３に無線で通知する手段として、本実施の形態では、無線基地局５およびスイッチングハブ６を備えている。携帯端末１が取得した位置ＩＤおよび充電量の情報は、まず、無線基地局５に通知され、通知された情報は、ＬＡＮケーブル５ａを介してスイッチングハブ６に通知され、通知された情報は、ＬＡＮケーブル６ａを介してパソコン３に通知される。
【００２１】
次に、以上の構成の充電情報表示システムの動作を図２のシーケンス図を参照して説明する。
まず、携帯端末１が集合充電器２の任意の充電ボックス２ａに装着される（ステップＳ１）と、携帯端末１は、ＮＦＣタグ２ｂを読み取って充電ボックス２ａの位置ＩＤの情報を取得する（ステップＳ２）。
【００２２】
次に、携帯端末１は、自身の充電量の情報を取得し（ステップＳ３）、この充電量の情報を先に取得した位置ＩＤの情報とともに、パソコン３に無線で通知する（ステップＳ４）。
【００２３】
充電量および位置ＩＤの情報を受けたパソコン３は、まず、位置ＩＤの情報から該当するアイコンを特定し、充電量の情報から充電量に対応する表示色を特定し、特定したアイコンを特定した表示色で表示する（ステップＳ５）。
【００２４】
次に、パソコン３は、充電量の情報から満充電または満充電近傍の充電量を示し、当該アイコンに隣接するアイコンの中で満充電または満充電近傍の充電量を表示しているアイコンがある場合、これらのアイコンが表示されるエリアを強調表示する（ステップＳ６）。これは、複数の携帯端末１が充電されている状況下で、最も充電されている携帯端末１が集合充電器２のどのエリアに密集して存在しているかを表示するためのものである。これにより、モニタ４に表示されているアイコンの位置と実際の充電ボックス２ａの位置とを正確に把握しなくても、エリア内のおおよその位置から携帯端末１を素早く取り出すことができるようになる。
【００２５】
その後、携帯端末１が充電量を取得し（ステップＳ７）、それをパソコン３に通知する（ステップＳ８）と、パソコン３では、充電量に応じた色表示を行い（ステップＳ９）、充電量の高い携帯端末１の密集エリアがあれば、その強調表示を行う（ステップＳ１０）。このステップＳ７〜Ｓ１０の処理は、繰り返し行われる。
【００２６】
次に、携帯端末１が集合充電器２の充電ボックス２ａから取り外されて通電が終了されたことを検出する（ステップＳ１１）と、この通電終了の情報を位置ＩＤの情報とともにパソコン３に無線で通知する（ステップＳ１２）。
【００２７】
パソコン３では、位置ＩＤに該当するアイコンを所定時間点滅表示する（ステップＳ１３）。これにより、作業者は、自分が取り外した携帯端末１が意図していたものであるかどうかを容易に確認することができる。もし、取り外した携帯端末１が意図していたものではないと気付いたときには、空いている充電ボックス２ａに携帯端末１を戻し、再度、使用したい携帯端末１を選択すればよい。
【００２８】
次に、パソコン３は、携帯端末１が取り外された充電ボックス２ａに対応する位置のアイコンの点滅表示を所定時間継続した後、そのアイコンの色分け表示を初期化する（ステップＳ１４）。
【００２９】
図３は本実施の形態に用いる携帯端末のハードウェアの一構成例を示す図である。
携帯端末１は、ＣＰＵ（Central Processing Unit）１１によって装置全体が制御されている。ＣＰＵ１１には、バス１８を介してＲＡＭ（Random Access Memory）１２と複数の周辺機器とが接続されている。
【００３０】
ＲＡＭ１２は、携帯端末１の主記憶装置として使用される。ＲＡＭ１２には、ＣＰＵ１１に実行させるＯＳ（Operating System）のプログラムやアプリケーションプログラムの少なくとも一部が一時的に格納される。また、ＲＡＭ１２には、ＣＰＵ１１による処理に必要な各種データが格納される。
【００３１】
バス１８に接続されている周辺機器としては、フラッシュメモリ１３、グラフィックインタフェース１４、入力インタフェース１５、無線ＬＡＮモジュール１６、およびＮＦＣモジュール１７がある。
【００３２】
フラッシュメモリ１３には、ＯＳのプログラム、バッテリの充電量を管理するアプリケーションプログラムおよび充電量を通知するアプリケーションプログラムを含むアプリケーションプログラム、および各種データが格納される。
【００３３】
グラフィックインタフェース１４には、表示部が接続されている。グラフィックインタフェース１４は、ＣＰＵ１１からの命令に従って、文字などの情報を表示部の画面に表示させる。
【００３４】
入力インタフェース１５には、携帯端末１が備えるキーパッド、タッチパネルなどが接続されている。入力インタフェース１５は、キーパッドなどから送られてくる信号をＣＰＵ１１に送信する。
【００３５】
無線ＬＡＮモジュール１６は、アンテナ１６ａと接続されており、アンテナ１６ａを介して無線基地局５と通信をすることができる。無線ＬＡＮモジュール１６は、充電量などの情報をパソコン３に無線で通知するのに使用される。
【００３６】
ＮＦＣモジュール１７は、アンテナ１７ａと接続されており、アンテナ１７ａを介して充電ボックス２ａに設けられたＮＦＣタグ２ｂと通信をすることができる。ＮＦＣモジュール１７は、ＮＦＣタグ２ｂに格納されている位置ＩＤを読み取るのに使用される。
【００３７】
以上のようなハードウェア構成によって、本実施の形態の携帯端末１の処理機能である、充電ボックス２ａの位置ＩＤの取得、充電量の取得、パソコン３への通知処理を実現することができる。
【００３８】
図４は本実施の形態に用いるパソコンのハードウェアの一構成例を示す図である。
パソコン３は、ＣＰＵ３１によって装置全体が制御されている。ＣＰＵ３１には、バス３９を介してＲＡＭ３２と複数の周辺機器が接続されている。
【００３９】
ＲＡＭ３２は、パソコン３の主記憶装置として使用される。ＲＡＭ３２には、ＣＰＵ３１に実行させるＯＳのプログラムやアプリケーションプログラムの少なくとも一部が一時的に格納される。また、ＲＡＭ３２には、ＣＰＵ３１による処理に必要な色テーブルなどの各種データが格納される。
【００４０】
バス３９に接続されている周辺機器としては、ハードディスクドライブ（ＨＤＤ）３３、グラフィック処理装置３４、入力インタフェース３５、光学ドライブ装置３６、機器接続インタフェース３７および通信インタフェース３８がある。
【００４１】
ハードディスクドライブ３３は、パソコン３の二次記憶装置として使用され、ＯＳのプログラム、充電量の表示を行うアプリケーションプログラム、および各種データが格納される。
【００４２】
グラフィック処理装置３４には、モニタ４が接続されている。グラフィック処理装置３４は、ＣＰＵ３１からの命令に従って、集合充電器２の充電ボックス２ａに対応するアイコンや文字をモニタ４の画面に表示させる。
【００４３】
入力インタフェース３５には、キーボード４０とマウス４１とが接続されている。入力インタフェース３５は、キーボード４０やマウス４１から送られてくる信号をＣＰＵ３１に送信する。
【００４４】
光学ドライブ装置３６は、光ディスク４２に記録されたデータの読み取りを行う。光ディスク４２は、光の反射によって読み取り可能なようにデータが記録された可搬型の記録媒体である。
【００４５】
機器接続インタフェース３７は、ＵＳＢ（Universal Serial Bus）メモリのような外部記憶媒体４３に対してデータの読み取りや書き込みを行う。
通信インタフェース３８は、スイッチングハブ６を介して無線基地局５に接続されている。通信インタフェース３８は、無線基地局５およびスイッチングハブ６を介して携帯端末１から送られる情報を受信する。
【００４６】
以上のようなハードウェア構成によって、本実施の形態のパソコン３側で行われる充電量表示処理の機能を実現することができる。なお、パソコン３は、以上のような構成に限定されるものではなく、少なくともＣＰＵ３１およびＲＡＭ３２を備えていればよい。
【００４７】
図５は集合充電器の構成例を示す斜視図、図６は集合充電器の充電ボックスに携帯端末を装着した状態を示す斜視図、図７は携帯端末を装着したときのモニタの表示例を示す図、図８は携帯端末を取り外した状態を示す斜視図、図９は携帯端末を取り外したときのモニタの表示例を示す図である。
【００４８】
集合充電器２は、図５に示したように、携帯端末１を装着する充電ボックス２ａが複数個マトリクス状に配列されている。図示の例では、２５個の充電ボックス２ａが設けられていて、２５台の携帯端末１を同時に充電できるようにしている。
【００４９】
充電ボックス２ａの内壁には、ＮＦＣタグ２ｂがそれぞれ設けられている。ＮＦＣタグ２ｂは、充電ボックス２ａが集合充電器２のどの位置に配置されているかを識別するための位置ＩＤが記憶されており、好ましくは、集合充電器２を識別する充電器ＩＤとともに記憶されている。また、充電ボックス２ａの底部には、図示しない給電端子を備え、携帯端末１を充電ボックス２ａに装着すると、携帯端末１の充電端子と充電ボックス２ａの給電端子とが接触するようになっている。
【００５０】
集合充電器２への携帯端末１の装着は、図６に示したように、１つの充電ボックス２ａに対して１台の携帯端末１を受け入れるようになっている。携帯端末１が充電ボックス２ａに装着されると、携帯端末１の充電端子が充電ボックス２ａの給電端子に接触されて通電され、自動的にバッテリの充電が開始される。
【００５１】
パソコン３のモニタ４の画面には、図７に示したように、集合充電器２の充電ボックス２ａの配列に対応した配列で、バッテリのアイコン４５が表示されている。このアイコン４５は、携帯端末１の装着（通電または非通電）状態および充電量に応じて表示色を変更するようにしている。また、図示の例では、携帯端末１の端末ＩＤがアイコン４５に重ねて表示されている。これにより、モニタ４の側で、充電中の多くの携帯端末１の中から特定の１つを識別することが可能になる。
【００５２】
また、図７の画面表示例では、画面右下の４台の携帯端末１が充電完了または満充電に近いところまで充電されている場合に、それら４つのアイコン４５が配置された背景のエリア４６が強調表示されている。
【００５３】
ここで、図８に示したように、集合充電器２の下から２列目で右から２番目の充電ボックス２ａに装着されていた携帯端末１を取り外したとする。このとき、モニタ４の画面は、図９に示したように、携帯端末１を取り外した充電ボックス２ａに対応するアイコン４５が点滅表示し、携帯端末１を取り外した充電ボックス２ａの位置をモニタ４上で確認できるようにしている。
【００５４】
図１０は携帯端末の処理を示すフローチャート、図１１は携帯端末が通知する情報の例を示す図である。
携帯端末１では、まず、ＣＰＵ１１は、充電ボックス２ａに装着されることにより開始される通電の状態を監視する（ステップＳ２１）。この監視は、通電が開始されるまで継続される。
【００５５】
次に、ＣＰＵ１１は、充電ボックス２ａの位置ＩＤを取得する（ステップＳ２２）。すなわち、ＣＰＵ１１は、ＮＦＣモジュール１７を起動してＮＦＣタグ２ｂと通信をすることにより、ＮＦＣタグ２ｂに記憶されている位置ＩＤを読み取り、ＲＡＭ１２に記憶しておく。
【００５６】
次に、ＣＰＵ１１は、バッテリの充電量を取得する（ステップＳ２３）。これは、ＣＰＵ１１がバッテリの状態を常時管理しているアプリケーションプログラムにアクセスすることによって現在のバッテリの充電量を取得することができる。
【００５７】
次に、ＣＰＵ１１は、取得したバッテリの充電量の情報と位置ＩＤの情報とをパソコン３に通知する（ステップＳ２４）。ここでは、ＣＰＵ１１は、携帯端末１を充電ボックス２ａに装着したときの充電量をパソコン３に通知することになる。これらの情報の通知は、無線ＬＡＮモジュール１６によって行われる。そのときに通知される情報としては、図１１に示したように、たとえば、位置ＩＤ、端末ＩＤおよび充電量情報とすることができる。図示の例では、位置ＩＤは、集合充電器２を識別する「Ｆ」と４行３列目の充電ボックス２ａであることを示す「０４０３」とで構成されている。端末ＩＤは、携帯端末１に固有の識別子である「Ａ００２」となっている。そして、充電量情報は、バッテリ残容量が５０％であることを示す値になっている。
【００５８】
次に、ＣＰＵ１１は、携帯端末１が充電ボックス２ａから取り外されることによって携帯端末１への通電が終了したかどうかを判断する（ステップＳ２５）。通電が終了していない場合、ＣＰＵ１１は、先に通知した充電量が１００％であるか否かを判断する（ステップＳ２６）。充電量が１００％である場合、処理は、ステップＳ２５に戻される。
【００５９】
充電量が１００％でない場合、ＣＰＵ１１は、充電量を取得し（ステップＳ２７）、その充電量が先に通知した充電量よりも５％上昇したかどうかを判断する（ステップＳ２８）。ここで、充電量の上昇が５％に達していない場合は、処理は、ステップＳ２５に戻され、５％上昇した場合、ＣＰＵ１１は、その充電量の情報を位置ＩＤとともにパソコン３へ通知する（ステップＳ２９）。パソコン３へ通知した後、処理は、ステップＳ２５に戻される。このステップＳ２５〜Ｓ２９の処理により、充電量の情報は、バッテリが満充電になるまで５％の上昇があるたびにパソコン３へ通知される。
【００６０】
ステップＳ２５において、携帯端末１への通電が終了したと判断された場合、ＣＰＵ１１は、通電終了をパソコン３へ通知して（ステップＳ３０）、この処理を終了させる。なお、この通電終了の通知後の処理としては、ステップＳ２１に戻すようにしてもよい。
【００６１】
図１２はパソコンの処理を示すフローチャート、図１３は色テーブルの設定例を示す図、図１４は推奨エリア表示処理を示すフローチャートである。
まず、パソコン３においては、図１２に示したように、ＣＰＵ３１は、モニタ４に表示されるアイコン４５および強調表示のエリア４６の画像表示をすべて初期化する（ステップＳ４１）。
【００６２】
次に、ＣＰＵ３１は、携帯端末１からの通知があるかどうかを判断し（ステップＳ４２）、通知があるまで待つ。携帯端末１から通知があった場合、ＣＰＵ３１は、通知された情報から位置ＩＤを取得してＲＡＭ３２に記憶し（ステップＳ４３）、通知された情報が通電終了かどうかを判断する（ステップＳ４４）。
【００６３】
通電終了の通知でない場合、ＣＰＵ３１は、通知された情報から充電量を取得し（ステップＳ４５）、充電量に対応する色情報を取得する（ステップＳ４６）。この充電量に対応する色情報は、図１３に示した色テーブル３３ａによってあらかじめ定義され、ハードディスクドライブ３３に記憶されている。ＣＰＵ３１は、通知された充電量に対応する色情報を、ハードディスクドライブ３３に記憶された色テーブル３３ａを参照することによって取得する。この色テーブル３３ａによれば、たとえば、充電量が０〜１９％の場合に赤、２０〜３９％の場合に橙、４０〜５９％の場合に黄、６０〜８９％の場合に薄緑、９０〜１００％の場合に緑と定義している。
【００６４】
次に、ＣＰＵ３１は、記憶された位置ＩＤに該当するアイコン４５に取得した色情報を適用し、アイコン４５を充電量に応じた色で表示する（ステップＳ４７）。
ステップＳ４４において、通知された情報が通電終了の場合、ＣＰＵ３１は、記憶された位置ＩＤに該当するアイコン４５を所定時間点滅表示する（ステップＳ４８）。このとき、点滅しているアイコン４５は、通電終了の通知前の色表示を維持し、作業者が取り外した携帯端末１の充電量を確認できるようにしている。ここで、所定時間は、作業者が充電ボックス２ａから携帯端末１を取り外した後にモニタ４上で点滅しているアイコン４５を見て、取り外した携帯端末１が意図していたものであることを確認するのに必要な時間で、たとえば、５秒程度としている。この所定時間を経過後、ＣＰＵ３１は、点滅しているアイコン４５の画像を初期化する（ステップＳ４９）。
【００６５】
ステップＳ４７またはステップＳ４９の処理が終了すると、ＣＰＵ３１は、推奨エリア表示処理を行い（ステップＳ５０）、処理は、ステップＳ４２に戻される。次に、このステップＳ５０における推奨エリア表示処理について、図１４を参照して説明する。
【００６６】
まず、ＣＰＵ３１は、携帯端末１からの通知が通電終了通知か否かを判断する（ステップＳ５１）。ここで、携帯端末１からの通知が充電量の通知の場合、ＣＰＵ３１は、通知された充電量が９０％以上か否かを判断し（ステップＳ５２）、充電量が９０％未満の場合は、この推奨エリア表示処理を抜ける。
【００６７】
通知された充電量が９０％以上のとき、ＣＰＵ３１は、隣接位置の色情報を取得する（ステップＳ５３）。すなわち、ＣＰＵ３１は、通知された位置ＩＤの位置に対して上下左右に隣接する位置ＩＤおよび充電量を求め、その充電量に対応する色情報を色テーブル３３ａから取得する。
【００６８】
次に、ＣＰＵ３１は、通知された位置ＩＤの位置の色情報と隣接するすべての位置の色情報とが一致するか否かを判断し（ステップＳ５４）、一致しなければ、この推奨エリア表示処理を抜ける。
【００６９】
通知された位置ＩＤの位置の色情報と一致するアイコン４５が隣接位置に存在する場合、ＣＰＵ３１は、色情報が一致するアイコン４５の背景を強調表示して（ステップＳ５５）、この推奨エリア表示処理を抜ける。
【００７０】
ステップＳ５１において、通電終了の通知であると判断されたとき、ＣＰＵ３１は、通電終了通知された位置ＩＤの位置の背景が強調表示されているか否かを判断し（ステップＳ５６）、強調表示されていないときには、この推奨エリア表示処理を抜ける。
【００７１】
通電終了が通知された位置ＩＤの位置の背景が強調表示されているとき、ＣＰＵ３１は、通電終了に伴って強調表示を解除したときに周囲のエリア４６の強調表示を維持するかどうかの処理を行う。
【００７２】
まず、ＣＰＵ３１は、通電終了が通知された位置ＩＤの位置に隣接するすべての強調表示に対してさらに隣接する強調表示の存在を調べる（ステップＳ５７）。これにより、ＣＰＵ３１は、通電終了が通知された位置ＩＤの位置に隣接する強調表示が、通電終了通知された位置ＩＤの位置とは異なる位置の強調表示とも隣接しているか否かがわかる。ここで、通電終了が通知された位置ＩＤの位置に隣接するすべての強調表示に対してさらに隣接する強調表示が存在しないときは、隣接して強調表示すべきエリア４６がなくなったことを意味する。
【００７３】
次に、ＣＰＵ３１は、通電終了が通知された位置ＩＤの位置に隣接するすべての強調表示に対してさらに隣接する強調表示が存在しないか否かを判断する（ステップＳ５８）。このステップＳ５８において、位置ＩＤの位置の強調表示に隣接するすべての強調表示に対してさらに隣接する強調表示が存在しないとき、ＣＰＵ３１は、位置ＩＤの位置の強調表示とこれに隣接するすべての強調表示とを解除する（ステップＳ５９）。
【００７４】
ステップＳ５８において、さらに隣接する強調表示が存在するときには、強調表示のエリア４６の中で、隣接していないエリア４６は、強調表示を解除する必要がある。そのため、ＣＰＵ３１は、さらに隣接している強調表示を除き、隣接する強調表示も含めて強調表示を解除する（ステップＳ６０）。
【００７５】
なお、強調表示とは、アイコン間の上下左右の隙間の中央位置までの領域を、たとえば、アイコン色の反対色、輝度を変更した色、透過度を変更した色等で埋めるようにするものである。
【００７６】
また、上記の実施の形態では、ＮＦＣタグ２ｂは、集合充電器２および充電ボックス２ａを識別するための充電器ＩＤおよび位置ＩＤを記憶しているとした。しかし、ＮＦＣタグ２ｂは、任意のシリアル番号を記憶し、そのシリアル番号と集合充電器２および充電ボックス２ａとの対応テーブルをパソコン３に記憶し、シリアル番号から対応テーブルを使って充電ボックス２ａを特定するようにしてもよい。
【００７７】
また、上記の実施の形態では、携帯端末１が充電中は、５％充電するごとにその充電量をパソコン３に通知するようにしているが、１０％ごとでもよく、または、所定時間充電するごとにその充電量をパソコン３に通知するようにしてもよい。たとえば、携帯端末１は、充電中の間、１０秒ごとや３０秒ごとに充電量をパソコン３に通知するようにしてもよい。
【００７８】
さらに、上記の実施の形態では、携帯端末１の充電量を５段階に色分けしているが、これよりも多くの段階に色分けしてより細かく表現したり、または、粗く表現したりするようにしてもよい。
【００７９】
また、上記の実施の形態では、集合充電器２と充電量表示装置を構成するパソコン３およびモニタ４とが１セットの場合について示したが、多くの携帯端末１を同時に充電する必要がある場合に、集合充電器２および充電量表示装置を複数セット備えることができる。
【００８０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００８１】
１  携帯端末
２  集合充電器
２ａ  充電ボックス
２ｂ  ＮＦＣタグ
２ｃ  外部電源
３  パソコン
４  モニタ
４ａ  ディスプレイケーブル
５  無線基地局
５ａ  ＬＡＮケーブル
６  スイッチングハブ
６ａ  ＬＡＮケーブル
１１  ＣＰＵ
１２  ＲＡＭ
１３  フラッシュメモリ
１４  グラフィックインタフェース
１５  入力インタフェース
１６  無線ＬＡＮモジュール
１６ａ  アンテナ
１７  ＮＦＣモジュール
１７ａ  アンテナ
１８  バス
３１  ＣＰＵ
３２  ＲＡＭ
３３  ハードディスクドライブ
３３ａ  色テーブル
３４  グラフィック処理装置
３５  入力インタフェース
３６  光学ドライブ装置
３７  機器接続インタフェース
３８  通信インタフェース
３９  バス
４０  キーボード
４１  マウス
４２  光ディスク
４３  外部記憶媒体
４５  アイコン
４６  エリア
【図１】
2016171618.tif 000003
【図２】
2016171618.tif 000004
【図３】
2016171618.tif 000005
【図４】
2016171618.tif 000006
【図５】
2016171618.tif 000007
【図６】
2016171618.tif 000008
【図７】
2016171618.tif 000009
【図８】
2016171618.tif 000010
【図９】
2016171618.tif 000011
【図１０】
2016171618.tif 000012
【図１１】
2016171618.tif 000013
【図１２】
2016171618.tif 000014
【図１３】
2016171618.tif 000015
【図１４】
2016171618.tif 000016